(57)【要約】  弾性体からなる袋体を、手動ポンプによって給排気を行うといった容易な操作により、圧力、及び加圧時間の自在な調整を可能とすることで下半身の褥瘡を防止すると共に、手で握って操作することにより脳の活性化を図ることができ、更には低コストなクッションを提供する。手動ポンプ２と、弾性体からなる袋体３とを有し、前記手動ポンプ２のチューブ側の端部を、前記袋体３に接続したクッション構成部１０が複数存在し、外カバー４は、区画線５ａ乃至５ｋによって複数の収納室６ａ乃至６ｄに区画され、複数の前記収納室６ａ乃至６ｄ内には、前記袋体３をそれぞれ収納することを特徴とする、クッション１により、容易に下半身の褥瘡を予防でき、脳の活性化を図ることができる。図１
2017021996.tif 000002
【特許請求の範囲】
【請求項１】
手動ポンプと、
弾性体からなる袋体とを有し、
前記手動ポンプのチューブ側の端部を、前記袋体に接続したクッション構成部が複数存在し、
外カバーは、区画線によって複数の収納室に区画され、複数の前記収納室内には、前記袋体をそれぞれ収納することを特徴とする、クッション。
【請求項２】
前記袋体は矩形状であることを特徴とする、請求項１に記載のクッション。
【請求項３】
前記外カバーは、使用者の大腿部を支持する外カバー前部と、臀部を支持する外カバー後部から構成され、
前記外カバー前部は、第１の前記クッション構成部の袋体を収納する第１の前記収納室と、第２の前記クッション構成部の袋体を収納する第２の前記収納室とが、前記区画線によって、非収納室を挟んで区画され、
前記外カバー後部は、第３の前記クッション構成部の袋体の長辺側と、第４の前記クッション構成部の袋体の長辺側とを、前記外カバーの幅方向に対して並列にそれぞれ収納する、第３の前記収納室と、第４の前記収納室とが、前記区画線によって区画されることを特徴とする、請求項１または請求項２に記載のクッション。
【発明の詳細な説明】
【技術分野】
【０００１】
本発明は、クッションに関するものである。
【背景技術】
【０００２】
褥瘡とは、皮膚の同じ部分への持続的な圧迫により、毛細血管が押しつぶされて血流が阻害され、皮膚組織が壊死する現象を言う。例えば、下半身麻痺や、立ち上がりや歩行などが自力では不安定なため、車椅子に長時間乗っていることが多い要介護者において、皮膚が要介護者の体重により、持続的な圧迫を受けた場合に生じる。【０００３】
ここで、身体全体に対する褥瘡を予防するためのマットなどに加えて、車椅子などを使用する要介護者などに対する、褥瘡防止のためのクッションが多数存在する。【０００４】
例えば、以下の特許文献１に記載の椅子用床ずれ防止クッションは、エアセルの給排気動作の自動調節などにより、身体の特定部分への連続的加圧を防ぐことで床ずれを防止しながらも、車椅子などへの移乗時の不安定さを解消することができる。特許文献２においては、交互に自動加圧された第１空気袋と第２空気袋により、空気袋ユニット全体における膨張箇所が変更され、使用者の臀部に加わる圧力が分散、及び移動することで褥瘡を防止する臀部褥瘡予防装置が開示されている。さらに、特許文献３においては、車椅子用ではないが、主に寝たきりの人を対象とした床ずれ防止マットが開示されている。当該特許文献３においては、手動操作によって膨らませることができるマットを二つ並べることで、身体の所望の箇所を浮かせたり、沈めたりできるようにして褥瘡の防止を図っている。
【先行技術文献】
【特許文献】
【０００５】
【特許文献１】特開２０１３−３１７１０号公報
【特許文献２】特開２０１４−７３３５９号公報
【特許文献３】特開２００３−２６００８９号公報
【発明の概要】
【発明が解決しようとする課題】
【０００６】
特許文献１に記載の発明は、高さの異なるエアセルを椅子用床ずれ防止クッションに配置して、押圧力の度合差をつけている。このように押圧力の度合差をつけることにより、座った時に使用者の褥瘡が起こりやすい、仙骨部や座骨部分の荷重を分散させて、褥瘡の原因となる持続的な圧迫が起こらないようにしている。しかし、特許文献１の椅子用床ずれ防止クッションは４層構造であり、まず、ベースクッションの上に、上記エアセルが配置されているセルユニットが存在する。さらに、当該セルユニットの上にサイドクッションがあり、当該サイドクッションの上にカバークッションが存在し、使用者は当該カバークッション上に座る。したがって、エアセルの配置による押圧力の度合差が適切なものでなく、当該エアセルの配置を変更したい場合は、当該クッションを車椅子から取り外してセルユニットを取り出すために、使用者はいったん車椅子などから降りる必要がある。しかし、使用者に介護が必要な場合、車椅子から使用者を降ろし、再度車椅子に使用者を移乗させるという行為は、使用者、及び介護者の双方にとって大変な労力を要求するため、エアセルの配置をし直すたびに使用者、及び介護者の双方に大きな負担が生じることになる。【０００７】
また、特許文献１の椅子用床ずれ防止クッションは、制御部により、椅子用床ずれ防止クッションの第１のエアセルと第２のエアセルに空気を交互に給排し、自動的に、各エアセルの膨張状態を５秒程度維持させた後、所定時間だけ排気している。また、当該制御部より、第１のエアセル、及び第２のエアセルの両方とも、加圧が生じる刺激モードと、減圧が生じる体圧分散モードの秒数が自動的にそれぞれ決められている。したがって、使用者が椅子用床ずれ防止クッションに自ら空気を給排する必要がない。しかし、このように給排時間が制御部により決定されているため、特許文献１の椅子用床ずれ防止クッションの使用者は、自由に各エアセルの給排時間を調節して圧力を調整することができない。よって、例えば、使用者の体の褥瘡ができかかっている部分など、加圧し続けない方が良い部分を長めに加圧する可能性が存在する。また、特許文献１の椅子用床ずれ防止クッションは、多数のエアセルを有するなど構造も複雑であり、さらに制御部により、自動的に第１のエアセルと第２のエアセルへの空気の給排を行うため、比較的高額となる。また、特許文献１の椅子用床ずれ防止クッションは、リモコンのボタンを押すのみで操作できるため、手で握るといった行為により脳の活性化を図ることができず、老人性痴呆症の進行を招くことが考えられる。【０００８】
特許文献２の褥瘡予防装置は、第１空気袋と第２空気袋が交互に給気されて加圧状態となったときに、膨張する箇所が二次元角度上で４５度の位相差を持つように吊り部が構成されている。したがって、第１空気袋と第２空気袋がそれぞれ交互に加圧状態となることで、それぞれの膨張箇所により、使用者の臀部が浮上し、また、使用者の仙骨部の周辺領域に加わる圧力分布が変化することで、臀部中心部、及び周辺部の褥瘡を防止している。更に、第１空気袋と第２空気袋を膨張時に使用者の臀部の形状に沿うように変形させることで、使用者の仙骨部の周辺領域に加わる圧力分布を変化させると同時に、座り心地も良くしている。しかし、特許文献２の褥瘡予防装置において、第１空気袋、及び第２空気袋は、制御部を有する自動給排気装置により、それぞれの空気袋の給排気サイクルが自動的に調節される。ここで、当該給排気サイクルの長さ自体を使用者が調整することはできるが、給排気サイクルの中での給気の時間と排気の時間を使用者が自由に調節することはできない。したがって、特許文献２の褥瘡予防装置においては、例えば、「給気時間はもう少し短くして、排気時間はもう少し長くしたい。」といった微妙な圧力の調整が難しい。【０００９】
特許文献３の床ずれ防止マットは、非通気性材からなるマットを独立して二基並べて連結させており、手動エアポンプによる空気の給排により当該マットを膨縮させることができる。したがって、上記特許文献１、及び特許文献２で記載されているように、自動で空気の給排が行われる場合と異なり、マットへの空気の給排による、加圧及び減圧が自在にできる。また、操作も容易である。しかし、マットに凹線が２本ずつ形成されているのみなので、例えば、車椅子の使用時に下半身において褥瘡になりやすい仙骨部分や左右の坐骨部分をカバーすることは難しい。【００１０】
本発明は上記実情に鑑みて提案されたもので、弾性体からなる袋体を、手動ポンプによって給排気を行うといった容易な操作により、圧力、及び加圧時間の自在な調整を可能とすることで、特に下半身の褥瘡を予防すると共に、手で握って操作することにより脳の活性化を図ることができ、更には低コストなクッションを提供することを目的とする。
【課題を解決するための手段】
【００１１】
上記目的を達成するために本発明のクッションは、手動ポンプと、弾性体からなる袋体とを有し、前記手動ポンプのチューブ側の端部を、前記袋体に接続したクッション構成部が複数存在し、外カバーは、区画線によって複数の収納室に区画され、複数の前記収納室内には、前記袋体をそれぞれ収納することを特徴とする。【００１２】
また本発明は、前記袋体は矩形状であることを特徴とする。【００１３】
また本発明は、前記外カバーは、使用者の大腿部を支持する外カバー前部と、臀部を支持する外カバー後部から構成され、前記外カバー前部は、第１の前記クッション構成部の袋体を収納する第１の前記収納室と、第２の前記クッション構成部の袋体を収納する第２の前記収納室とが、前記区画線によって、非収納室を挟んで区画され、前記外カバー後部は、第３の前記クッション構成部の袋体の長辺側と、第４の前記クッション構成部の袋体の長辺側とを、前記外カバーの幅方向に対して並列にそれぞれ収納する、第３の前記収納室と、第４の前記収納室とが、前記区画線によって区画されることを特徴とする。
【発明の効果】
【００１４】
すなわち、手動ポンプと、弾性体からなる袋体とを有し、前記手動ポンプのチューブ側の端部を、前記袋体に接続したクッション構成部が複数存在し、外カバーは、区画線によって複数の収納室に区画され、複数の前記収納室内には、前記袋体をそれぞれ収納することを特徴とするため、使用者は弾性体からなる袋体を、座ったままで手動ポンプによって給排気を行うといった容易な操作により、クッションの圧力、及び加圧時間を自在に調整することが可能となる。したがって、褥瘡の原因となる「皮膚の同じ部分への持続的な圧迫」を軽減し、特に下半身の褥瘡を予防することができる。更に、手動ポンプのチューブ側の端部を、弾性体から成る袋体に接続した複数のクッション構成部をそれぞれ収納室に収納して車椅子用クッションを作成する、といった単純な構造、及び工程によりコストを削減することができる。また、手動ポンプを、使用者の手で握ったり離したりする行為によってクッションに給排気するため、当該行為により脳の活性化を図ることができる。更には、脳の活性化を図ることにより、老人性痴呆症の予防にもつながる。【００１５】
本発明において、前記袋体は矩形状であることを特徴とするため、単純な形体であることから、当該袋体作成のための時間が少なくて済む。従って、更にコストを削減することができる。【００１６】
本発明において、前記外カバーは、使用者の大腿部を支持する外カバー前部と、臀部を支持する外カバー後部から構成され、前記外カバー前部は、第１の前記クッション構成部の袋体を収納する第１の前記収納室と、第２の前記クッション構成部の袋体を収納する第２の前記収納室とが、前記区画線によって、前記非収納室を挟んで区画され、前記外カバー後部は、第３の前記クッション構成部の袋体の長辺側と、第４の前記クッション構成部の袋体の長辺側を、前記外カバーの幅方向に対して並列にそれぞれ収納する、第３の前記収納室と、第４の前記収納室とが、前記区画線によって区画されることを特徴とする。したがって、弾性体からなる袋体が、第１の前記収納室と、第２の前記収納室、及び非収納室によって、大腿部を支持し、第３の前記収納室と第４の前記収納室によって、臀部を支持するため、仙骨部分や座骨部分に対する圧力が調整しやすい。従って、特に座った時に褥瘡になりやすい、当該仙骨部分や坐骨部分の褥瘡を予防することができる。
【図面の簡単な説明】
【００１７】
【図１】本発明に係るクッションの平面図である。
【図２】本発明に係るクッションを構成するクッション構成部の平面図である。
【図３】本発明に係るクッションの第１の使用状態例を説明する説明図である。
【図４】本発明に係るクッションの第２の使用状態例を説明する説明図である。
【図５】本発明に係るクッションの第３の使用状態例を説明する説明図である。
【発明を実施するための形態】
【００１８】
以下、本発明に係る実施形態を図面とともに説明する。
【００１９】
図１、及び図２に基づいて、本発明に係るクッション１、及びクッション構成部１０について説明する。
【００２０】
まず、図２では、手動ポンプ２のチューブ側の端部を弾性体から成る袋体３に接続したクッション構成部１０が示されているが詳しくは後述する。
【００２１】
図１において、クッション１は、第１のクッション構成部１０ａと、第２のクッション構成部１０ｂと、第３のクッション構成部１０ｃと、第４のクッション構成部１０ｄとを備え、更に外カバー４を有する。
【００２２】
図１の外カバー４は略正方形状であり、高さ４７ｃｍ程度、幅４７ｃｍ程度である。外カバー４は、使用者の大腿部を支持する外カバー前部８と、使用者の臀部を支持する外カバー後部９から構成される。ここで、クッション１の外カバー前部８側をクッション１の下方とする。一方、車椅子用クッション１の外カバー後部９側をクッション１の上方とする。なお、外カバー４の形状は、クッション１の使用者の臀部の形状に沿うように変形したものなどでもよい。
【００２３】
また、外カバー４の材質は、特に限定されず、例えば綿などの天然素材や、ポリエステルやポリウレタンなどの合成繊維が挙げられる。あるいは外カバー４の表地には天然素材を用い、裏地には合成繊維を用いてもよい。ここで、ポリエステルやポリウレタンなどの、防水効果のある合成繊維を外カバー４の材質に用いることにより、クッション１の使用者が失禁した場合でも、外カバー４に収納されている第１のクッション構成部１０ａ、第２のクッション構成部１０ｂ、第３のクッション構成部１０ｃ、及び第４のクッション構成部１０ｄや、車椅子本体を汚しにくくなる。
【００２４】
ここで、外カバー前部８と外カバー後部９は、外カバー４の上端から２３．５ｃｍ程度下方位置においてクッション１の幅方向と平行に引かれている、区画線５ａによりそれぞれ分断されている。なお、この区画線５ａはミシン目で作成されており、以下全ての区画線５ａ乃至区画線５ｋについて同様である。
【００２５】
外カバー前部８は、縦が約２３．５ｃｍ、横幅が約４７ｃｍの大きさである。一方、外カバー後部９は、縦が約２３．５ｃｍ、横幅が約４７ｃｍの大きさである。
【００２６】
外カバー前部８には、上記区画線５ａの左端から２．５ｃｍ程度右方向の位置から、外カバー４の下端まで略垂直状に下ろした区画線５ｃが存在する。また、上記区画線５ａの左端から１６．５ｃｍ程度右方向の位置から、外カバー４の下端まで略垂直状に下ろした、区画線５ｄが存在する。さらに、外カバー４の下端から０．２ｃｍ上方位置において、クッション１の幅方向と平行に引かれている、区画線５ｈが存在する。
【００２７】
ここで、外カバー前部８においては、上記区画線５ｃ、５ａ、５ｄ、及び５ｈにより、第１の収納室６ａを分断している。この第１の収納室６ａには、第１のクッション構成部１０ａの弾性体から成る袋体３ａが収納されている。
【００２８】
また、外カバー前部８には、上記区画線５ａの右端から２．５ｃｍ程度左方向の位置から、外カバー４の下端まで略垂直状に下ろした、区画線５ｆが存在する。更に、上記区画線５ａの右端から１７ｃｍ程度左方向の位置から、外カバー５の下端まで略垂直状に下ろした、区画線５ｅが存在する。
【００２９】
ここで、外カバー前部８においては、上記区画線５ｅ、５ａ、５ｆ、５ｈにより、第２の収納室６ｂが分断されている。この第２の収納室６ｂには、クッション構成部１０ｂの弾性体から成る袋体３ｂが収納されている。
【００３０】
上記第１の収納室６ａと、上記第２の収納室６ｂとが、クッション構成部１０を収納していない非収納室７ａを挟んでいる構造によって、クッション１の使用時に、第１のクッション構成部１０ａの弾性体から成る袋体３ａを収納した、第１の収納室６ａにより、使用者の右大腿部を支持することができる。同様に、クッション構成部１０ｂの弾性体から成る袋体３ｂを収納した、第２の収納室６ｂにより使用者の左大腿部を支持することができる。さらに、上記非収納室７ａのスペースにより、使用者は、右大腿部及び左大腿部をクッション１に適切に配置することができる。ゆえに、座った状態で大きな圧力がかかることから褥瘡になりやすい座骨部や仙骨部だけでなく、大腿部にも使用者の体重による圧力を分散させることが可能となる。そのため、使用者が座った時の座骨部分や仙骨部分への持続的な圧迫を軽減し、当該座骨部分や仙骨部分の褥瘡を防ぐことができる。
【００３１】
更に、外カバー前部８には、上記区画線５ａの左端から０．２ｃｍ程度右方向の位置から、外カバー４の下端まで略垂直状に下ろした区画線５ｂが存在する。同様に、上記区画線５ａの右端から０．２ｃｍ程左方向の位置から、外カバー４の下端まで略垂直状に下ろした区画線５ｇが存在する。
【００３２】
上記区画線５ｂのうち、区画線５ａから約１４．５ｃｍの位置から、下方約５ｃｍほどは縫合されていない状態になっている。なお、上記区画線５ｃのうち、区画線５ａから約１４．５ｃｍの位置から、下方約５ｃｍほどは区画線がなく、縫合されていない状態になっている。
【００３３】
上記区画線５ｆのうち、区画線５ａから約１４．５ｃｍの位置から、下方約５ｃｍほどは区画線がなく、縫合されていない状態になっている。また、区画線５ｇのうち、区画線５ａから約１４．５ｃｍの位置から、下方約５ｃｍほどは縫合されていない状態になっている。
【００３４】
したがって、第１のクッション構成部１０ａの手動ポンプ２ａをチューブ部分と共に、第１の収納室６ａから、区画線５ｂ、及び５ｃの上記縫合されていない部分を通して外に出すことができる。同様に、第２のクッション構成部１０ｂの手動ポンプ２ｂをチューブ部分と共に、第２の収納室６ｂから、区画線５ｇ、及び５ｆの上記縫合されていない部分を通して外に出すことができる。
【００３５】
したがって、クッション１の使用者は、第１のクッション構成部１０ａの手動ポンプ２ａを用いて給排気を行うことにより、第１のクッション構成部１０ａの弾性体から成る袋体３ａの圧力、及び加圧時間を自由に、かつ容易に調整することができる。同様に、クッション１の使用者は、第２のクッション構成部１０ｂの手動ポンプ２ｂを用いて給排気を行うことにより、第２のクッション構成部１０ｂの弾性体から成る袋体３ｂの圧力、及び加圧時間を自由に、かつ容易に調整することができる。したがって、クッション１の使用者の右大腿部の下面と左大腿部の下面にかかる圧力を自在に調節することができ、褥瘡の原因となる「皮膚の同じ部分への持続的な圧迫」を軽減することができる。
【００３６】
また、使用者が手動ポンプ２ａ、及び２ｂを自らの手で握ったり離したりする行為によって車椅子用クッション１の給排気を行うため、当該行為により脳の活性化が図られ、脳の老化を防ぐことができる。したがって、クッション１の使用により、使用者が老人性痴呆症になることを予防することが可能となる。
【００３７】
一方、外カバー後部９には、図１の外カバー４の上端から８．５ｃｍ程度下方位置において、クッション１の幅方向と平行に引かれている、ミシン目による区画線５ｋが存在する。
【００３８】
一方、当該区画線５ｋの左端から０．２ｃｍ程度右方向の位置から、上記区画線５ａにまで略垂直状に下ろした区画線５ｌが存在する。同様に、区画線５ｋの左端から２３ｃｍ程度右方向の位置から、上記区画線５ａに至るまで略垂直状に下ろした区画線５ｉが存在する。外カバー後部９においては、上記区画線５ａ、５ｌ、５ｋ、及び５ｉにより、第３の収納室６ｃを分断している。この第３の収納室６ｃには、第３のクッション構成部１０ｃの弾性体から成る袋体３ｃが収納されている。
【００３９】
同様に、当該区画線５ｋの右端から０．２ｃｍ程度左方向の位置から、区画線５ａに至るまで略垂直状に下ろした区画線５ｊが存在する。外カバー後部９においては、上記区画線５ａ、５ｉ、５ｋ及び５ｊにより、第４の収納室６ｄを分断している。この第４の収納室６ｄには、クッション構成部１０ｄの弾性体から成る袋体３ｄが収納されている。なお、上記第３の収納室６ｃと、上記第４の収納室６ｄの上部には、クッション構成部１０が収納されていない非収納室７ｂが存在する。
【００４０】
したがって、上記第３のクッション構成部１０ｃの弾性体から成る袋体３ｃの長辺側と、第４のクッション構成部１０ｄの弾性体から成る袋体３ｄの長辺側が、それぞれ第３の収納室６ｃと、第４の収納室６ｄにより、並列に収納されていることになる。よって、クッション１の使用時に、使用者の臀部を当該第３の収納室６ｃと第４の収納室６ｄにより支持することができる。したがって、下半身で褥瘡になりやすい座骨部や仙骨部に対する圧力を分散させて、当該座骨部分や仙骨部分に対する褥瘡を防ぐことができる。
【００４１】
なお、区画線５ｋのうち、区画線５ｋの左端から約４ｃｍの部分から、約６ｃｍほど右側に渡っては区画線がなく、縫合されていない状態になっている。さらに、区画線５ｋのうち、区画線５ｋの右端から約４ｃｍの部分から、約６ｃｍほど左側に渡っては区画線がなく、縫合されていない状態になっている。
【００４２】
したがって、クッション構成部１０ｃの手動ポンプ２ｃを、第３の収納室６ｃから、区画線５ｋの左側の上記縫合されていない部分を通して外に出すことができる。同様に、クッション構成部１０ｄの手動ポンプ２ｄを、第４の収納室６ｄから、区画線５ｋ右側の上記縫合されていない部分を通して外に出すことができる。
【００４３】
したがって、クッション１の使用者は、第３クッション構成部１０ｃの手動ポンプ２ｃを用いて給排気を行うことにより、第３クッション構成部１０ｃの弾性体から成る袋体３ｃの圧力、及び加圧時間を自由に、かつ容易に調整することができる。よって、当該弾性体から成る袋体３ｃを膨張させることにより、クッション１の使用者の臀部の右部分、特に、下半身で褥瘡が生じやすい仙骨部分の圧力を分散させて当該仙骨部分の褥瘡を防ぐことができる。
【００４４】
同様に、クッション１の使用者は、第４クッション構成部１０ｄの手動ポンプ２ｄを用いて給排気を行うことにより、第４クッション構成部１０ｄの弾性体から成る袋体３ｄの圧力、及び加圧時間を自由に、かつ容易に調整することができる。よって、当該弾性体から成る袋体３ｄを膨張させることにより、クッション１の使用者の臀部の左部分、特に、下半身で褥瘡が生じやすい仙骨部分の圧力を分散させて当該仙骨部分の褥瘡を防ぐことができる。
【００４５】
また、使用者が手動ポンプ２ｃ、及び２ｄを自らの手で握ったり離したりする行為によってクッション１の給排気を行うため、当該行為により脳の活性化が図られ、脳の老化を防ぐことができる。したがって、クッション１の使用により、使用者が老人性痴呆症になることを予防することが可能となる。
【００４６】
図２に基づいて、本発明に係るクッション構成部１０について説明する。
【００４７】
クッション構成部１０は、手動ポンプ２のチューブ側の端部を弾性体から成る袋体３に、Ｔ字型のチューブコネクタ１１を介して接続することによって構成される。
【００４８】
ここで、手動ポンプ２には、ゴムなどでできた弾性体からなるボール体１２と、ボール体１２の後部に外気に連通する吸気口１３が形成されている。ここで、ボール体１２を手で握ると、ボール体１２の中の空気は、ボール体１２のチューブ部分を通って弾性体から成る袋体３に送られて、当該弾性体から成る袋体３を膨張させる。一方、手動ポンプ２のチューブ部分には、摘み１４の操作で開閉できる排気通路（図示せず）が存在し、摘み１４を回して排気通路が外気と連通すると、弾性体から成る袋体３の空気が外部に排気できる。
【００４９】
なお、上部チューブコネクタ１１はＴ字型で、ポリプロピレンなどのオレフィン系樹脂やホウケイ酸ガラスなどからできている。
【００５０】
弾性体から成る袋体３は、ゴムなどの弾性体から形成される。したがって、車椅子用クッション１の使用時に弾性体から成る袋体３を膨張させた場合、当該弾性体から成る袋体３が、使用者の臀部や大腿部に広範囲にわたってフィットするため、使用者の体重による圧力を分散させやすくなる。また、使い心地も良くなる。
【００５１】
弾性体から成る袋体３は略長方形状であるため、比較的容易に製造することができ、コストを低く抑えることができる。
【００５２】
また、当該弾性体から成る袋体３は、高さ２１ｃｍ程度、幅１３ｃｍ程度である。さらに、当該弾性体から成る袋体３の厚さは０．４ｃｍ程度である。したがって、クッション構成部１０の弾性体から成る袋体３に、手動ポンプ２により給気して膨張させて、クッション１を使用する場合でも、弾性体から成る袋体３に十分な厚みがあるため、使用者の体重による型崩れや破損などが生じない。
【００５３】
ここで、弾性体から成る袋体３は、当該弾性体から成る袋体３の右端から１１ｃｍ程度下方位置において、更に下方に６ｃｍ程度の切り込み１５が入っている。手動ポンプ２のチューブ側の端部に、Ｔ字型のチューブコネクタ１１を接続した後、この切り込み１５に当該チューブコネクタ１１部分を入れ、当該切り込み１５を接着剤などで密閉することで、クッション構成部１０が完成する。このように、クッション構成部１０は作成が容易であるため、コストの削減になる。
【００５４】
なお、図２の弾性体から成る袋体３の形状は略長方形状に限定されず、略円形状や、クッション１の使用者の臀部の形状に合わせて形成したものなどでも良い。
【００５５】
図３に基づいて、本発明に係るクッション１の第１の使用形態について説明する。
【００５６】
図３においては、クッション１の斜線部分によって、第１のクッション構成部１０ａの弾性体から成る袋体３ａを収納した、第１の収納室６ａと、第３のクッション構成部１０ｃの弾性体から成る袋体３ｃを収納した、第３の収納室６ｃとが説明されている。また、図３においては、本発明に係るクッション１を車椅子用クッションとして用いている。
【００５７】
ここで、第３の収納室６ｃに収納されている弾性体から成る袋体３ｃは、使用者１６が手動ポンプ２ｃを用いて給気することにより膨張している。さらに、使用者１６は、手動ポンプ２ａを握って、第１の収納室６ａに収納されている弾性体から成る袋体３ａに給気することにより、弾性体から成る袋体３ａを膨張させている。
【００５８】
したがって、車椅子１７の使用者１６の右側の臀部の下面、及び右大腿部の下面がそれぞれ、膨張した弾性体から成る袋体３ｃと膨張した弾性体から成る袋体３ａによって持ち上げられる。これにより、例えば、使用者１６が側弯により脊椎が右に弯曲している場合、右座骨に大きな圧力がかかりやすいが、この右座骨にかかる圧力を、上記弾性体から成る袋体３ｃと上記弾性体から成る袋体３ａによって分散して、座骨付近の褥瘡を予防することができる。さらに側弯により脊椎が右に弯曲している人の姿勢の傾きが、上記弾性体から成る袋体３ｃと上記弾性体から成る袋体３ａによって矯正されるため、側弯を改善することができる。また、使用者１６が、手動ポンプ２ａ、及び２ｃを手で握って給排気するため、側弯の程度に応じて、弾性体から成る袋体３ａ、及び３ｃの膨張の程度を容易に調節することができる。なお、図３においては、弾性体から成る袋体３ａよりも、弾性体から成る袋体３ｃの方がより多く給気されており、膨張している。
【００５９】
図４に基づいて、本発明に係るクッション１の第２の使用形態について説明する。
【００６０】
図４においては、クッション１の斜線部分によって、第１のクッション構成部１０ａの弾性体から成る袋体３ａを収納した、第１の収納室６ａと、第２のクッション構成部１０ｂの弾性体から成る袋体３ｂを収納した、第２の収納室６ｂとが説明されている。また、図４においては、本発明に係るクッション１を車椅子用クッションとして用いている。
【００６１】
ここで、車椅子１７の使用者１６は、第１の収納室６ａに収納されている弾性体から成る袋体３ａを、手動ポンプ２ａを握って給気することにより膨張させている。さらに、使用者１６は、手動ポンプ２ｂを握って、第２の収納室６ｂに収納されている弾性体から成る袋体３ｂに給気することにより、弾性体から成る袋体３ｂを膨張させている。
【００６２】
したがって、使用者１６の右大腿部の下面、及び左大腿部の下面がそれぞれ、膨張した弾性体から成る袋体３ａと膨張した弾性体から成る袋体３ｂによって持ち上げられる。
【００６３】
ここで、猫背など、脊柱の変形が強い場合、車椅子の使用者の体幹が前方に倒れる傾向にある。そこで、車椅子の使用者の体幹が前方に倒れることを防止するために、当該使用者の臀部をシートの前方に滑らせて車椅子に座らせることにより、骨盤が後傾し、脊椎が後弯する、いわゆる「仙骨座り」が多く見られる。しかし、この「仙骨座り」により、車椅子の使用者の仙骨部分に圧力がかかり、当該仙骨部分の褥瘡が起こりやすくなる。そこで、上記膨張した弾性体から成る袋体３ａと、上記膨張した弾性体から成る袋体３ｂによって使用者１６の左右大腿部の下面が高くなるため、仙骨座りを避けることができ、仙骨部分の褥瘡を減少することができる。また、使用者１６が、手動ポンプ２ａ、及び２ｂを手で握って給排気するため、「仙骨座り」の程度に応じて、弾性体から成る袋体３ａ、及び３ｃの膨張の程度を容易に調節することができる。
【００６４】
図５に基づいて、本発明に係るクッション１の第３の使用形態について説明する。
【００６５】
図５においては、クッション１の斜線部分によって、第４のクッション構成部１０ｄの弾性体から成る袋体３ｄを収納した、第４の収納室６ｄが説明されている。なお、図５は、クッション１の使用者１６を背後から見た図となっている。
【００６６】
使用者１６は、手動ポンプ２ｄを握って、第４の収納室６ｄに収納されている弾性体から成る袋体３ｄに給気することにより、弾性体から成る袋体３ｄを膨張させている。
【００６７】
したがって、車椅子１７の使用者１６の左側の臀部の下面が、膨張した弾性体から成る袋体３ｄによって持ち上げられる。したがって、例えば、座った姿勢が不安定で左側の臀部に圧力がかかる場合、膨張した上記弾性体から成る袋体３ｄが、使用者１６の左側の臀部にフィットすることによって、左側の臀部の圧力を分散させることができる。よって、左側の臀部部分の褥瘡を防ぐことができる。また、使用者１６が手動ポンプ２ｄを手で握って給気するため、座った姿勢の傾きの程度に応じて、弾性体から成る袋体３ｄの膨張の程度を容易に調節することができる。
【００６８】
本発明のクッション１は、第１の収納室６ａ、第２の収納室６ｂ、第３の収納室６ｃ、及び第４の収納室６ｄという様に、クッション構成部１０の弾性体から成る袋体３を収納する場所が４か所存在する。したがって、使用者１６の左右の臀部の下面における圧力と、左右の大腿部の下面における圧力を、例えば側弯の方向など、使用者１６の体の状態に応じてそれぞれ的確に調節することができる。
【００６９】
なお、上記実施形態１乃至実施形態３のいずれの場合においても、使用者１６が手動ポンプ２を手で握って給気するため、手で手動ポンプ２を握るという行為により、脳の活性化も図ることができる。ひいては、このように脳の活性化を図ることにより脳の老化を防ぐことができ、クッション１の使用者１６が老人性痴呆症になることを予防することが可能となる。また、機械の操作が不得手な老人などであっても、手動ポンプ２を握るだけで容易に弾性体から成る袋体３に給気し、膨張の程度、及び加圧時間を自由自在に調節することができる。さらに、使用者１６は座ったまま弾性体から成る袋体３の圧力を調整することができるため、クッション１の圧力の調整のために車椅子などから降りたり、再度移乗するといった負担を、使用者１６及び介護者の双方が負わなくてすむ。
【００７０】
以上、本発明に係る実施形態について説明したが、本発明はかかる実施形態に限定されるものではなく、その要旨を逸脱しない範囲で種々なる態様で実施し得ることはもちろんである。例えば、第１の収納室６ａ、第２の収納室６ｂ、第３の収納室６ｃ、及び第４の収納室６ｄの収納口を大きくして、容易に第１のクッション構成部１０ａ、第２のクッション構成部１０ｂ、第３のクッション構成部１０ｃ、及び第４のクッション構成部１０ｄの収納及び取り外しができるようにする。さらに、当該収納口はチャックやマジックテープ（登録商標）によって開閉できるようにすることで、外カバー４の洗濯が可能となる。
【００７１】
また、クッション構成部２の手動ポンプ２部分を取り外し可能にすることで、車椅子用クッション１の使用時に、手動ポンプ２部分が車椅子の操作を妨げるようなことがなくなる。
【００７２】
本発明のクッション１は、使用者１６の臀部と大腿部部分を支持するために作られているが、例えば、使用者１６の背中部分など、使用者１６の臀部と大腿部以外の部分を支持するように形成することもできる。
【００７３】
本発明のクッション１は、車椅子や椅子などに座っている時に使用するだけでなく、布団など、シート類の上に置いて使用することもできる。例えば、当該シート類の上で使用者が横になっている時に、使用者の臀部と大腿部部分の下面にクッション１を置くことにより、就寝時などにも下半身の褥瘡を防ぐことができる。さらに、シート類の広範囲、あるいは全面に渡ってクッション１を置くことができるようにクッション１を形成することにより、使用者の横臥時において、下半身だけでなく、全身の褥瘡も防ぐことができる。
【符号の説明】
【００７４】
１    クッション
２、２ａ、２ｂ、２ｃ、２ｄ    手動ポンプ
３、３ａ、３ｂ、３ｃ、３ｄ    弾性体から成る袋体
４    外カバー
５ａ、５ｂ、５ｃ、５ｄ、５ｅ、５ｆ、５ｇ、５ｈ、５ｉ、５ｊ、５ｋ    区画線
６ａ    第１の収納室
６ｂ    第２の収納室
６ｃ    第３の収納室
６ｄ    第４の収納室
７ａ、７ｂ    非収納室
８    外カバー前部
９    外カバー後部
１０    クッション構成部
１０ａ  第１のクッション構成部
１０ｂ  第２のクッション構成部
１０ｃ  第３のクッション構成部
１０ｄ  第４のクッション構成部
１１    チューブコネクタ
１２    ボール体
１３    吸気口
１４    摘み
１５    切り込み
１６    使用者
１７    車椅子
【図１】
2017021996.tif 000003
【図２】
2017021996.tif 000004
【図３】
2017021996.tif 000005
【図４】
2017021996.tif 000006
【図５】
2017021996.tif 000007
【手続補正書】
【提出日】平成29年6月21日(2017.6.21)
【手続補正１】
【補正対象書類名】明細書
【補正対象項目名】００１１
【補正方法】変更
【補正の内容】
【００１１】
上記目的を達成するために本発明のクッションは、手動ポンプと、弾性体からなる袋体とを有し、前記手動ポンプのチューブ側の端部を、前記袋体に接続したクッション構成部が複数存在し、外カバーは、区画線によって複数の収納室に区画され、複数の前記収納室内には、前記袋体をそれぞれ収納し、前記外カバーは、使用者の大腿部を支持する外カバー前部と、臀部を支持する外カバー後部から構成され、前記外カバー前部は、第１の前記クッション構成部の袋体を収納する第１の前記収納室と、第２の前記クッション構成部の袋体を収納する第２の前記収納室とが、前記区画線によって、非収納室を挟んで区画され、前記外カバー後部は、第３の前記クッション構成部の袋体の長辺側と、第４の前記クッション構成部の袋体の長辺側とを、前記外カバーの幅方向に対して並列にそれぞれ収納する、第３の前記収納室と、第４の前記収納室とが、前記区画線によって区画されることを特徴とする
【手続補正２】
【補正対象書類名】明細書
【補正対象項目名】００１３
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
手動ポンプと、
弾性体からなる袋体とを有し、
前記手動ポンプのチューブ側の端部を、前記袋体に接続したクッション構成部が複数存在し、
外カバーは、区画線によって複数の収納室に区画され、複数の前記収納室内には、前記袋体をそれぞれ収納し、
前記外カバーは、使用者の大腿部を支持する外カバー前部と、臀部を支持する外カバー後部から構成され、
前記外カバー前部は、第１の前記クッション構成部の袋体を収納する第１の前記収納室と、第２の前記クッション構成部の袋体を収納する第２の前記収納室とが、前記区画線によって、非収納室を挟んで区画され、
前記外カバー後部は、第３の前記クッション構成部の袋体の長辺側と、第４の前記クッション構成部の袋体の長辺側とを、前記外カバーの幅方向に対して並列にそれぞれ収納する、第３の前記収納室と、第４の前記収納室とが、前記区画線によって区画されることを特徴とするクッション。
【請求項２】
前記袋体は矩形状であることを特徴とする、請求項１に記載のクッション。
【国際調査報告】
2017021996.tif 000008
2017021996.tif 000009
2017021996.tif 000010